(57)【要約】【課題】集合住宅用のドアホンシステムにおいて、既存の配線の状態に合わせて、最適な機器配置を選択すること。【解決手段】リレー制御部１１０は、キー番号を示す信号を入力した場合、通信相手のルームモニタ２００がロビーインターホン１００（自機）の端子に接続しているか否かを確認する。リレー制御部１１０は、通信相手のルームモニタ２００が分配装置３００を介して接続されていると判定した場合には、第１リレー１１５を接続させ、ロビーインターホン１００と分配装置３００−１との通信パスを開く。一方、リレー制御部１１０は、通信相手のルームモニタ２００が分配装置３００を介さずに直接接続されていると判定した場合には、通信相手のルームモニタ２００に接続する端子に第２リレー１１６を接続させ、接続先のルームモニタ２００とロビーインターホン１００との通信パスを開く。【選択図】図２
2018142809.tif 000002
【特許請求の範囲】
【請求項１】
集合住宅の来訪者が訪問先の居住者を呼び出すためのロビーインターホンと、前記来訪者からの呼び出しを受けて居住者が応答するためのルームモニタと、前記ロビーインターホンと前記ルームモニタとの間を中継する分配装置と、を有し、前記ロビーインターホンが複数の前記ルームモニタと２線ケーブルを介してスター型配線で接続するとともに前記分配装置の１つと２線ケーブルを介して接続し、前記分配装置同士が２線ケーブルを介してデイジーチェーン型配線で接続し、前記分配装置それぞれが前記ルームモニタと２線ケーブルを介して接続するドアホンシステムの前記ロビーインターホンであって、
前記分配装置の１つと接続する第１端子と、
複数の前記ルームモニタとスター型配線で接続する複数の第２端子と、
前記分配装置に接続されているルームモニタに割り付けられたキー番号と前記第１端子の番号とを対応付け、かつ、前記各第２端子に接続されているルームモニタに割り付けられたキー番号と前記各第２端子の番号とを対応付けて記憶する記憶部と、
前記第１端子を介して前記分配装置との通信パスを開閉する第１リレー部と、
前記第２端子のいずれかを介して前記ルームモニタとの通信パスを開閉する第２リレー部と、
入力信号に含まれるキー番号に対応づけられた端子の番号に接続された前記分配装置あるいは前記ルームモニタとの通信パスが開くように前記第１リレー部および前記第２リレー部を制御する制御部と、
を具備するロビーインターホン。
【請求項２】
集合住宅の来訪者が訪問先の居住者を呼び出すためのロビーインターホンと、
前記来訪者からの呼び出しを受けて居住者が応答するためのルームモニタと、
前記ロビーインターホンと前記ルームモニタとの間を中継する分配装置と、
を有し、
前記ロビーインターホンが複数の前記ルームモニタと２線ケーブルを介してスター型配線で接続するとともに前記分配装置の１つと２線ケーブルを介して接続し、
前記分配装置同士が、２線ケーブルを介してデイジーチェーン型配線で接続し、
前記ロビーインターホンが、
前記分配装置に接続しているルームモニタに割り付けられたキー番号、および、自機に接続しているルームモニタに割り付けられたキー番号をそれぞれ記憶し、
入力信号に含まれるキー番号のルームモニタが、自機に接続されている場合には該ルームモニタとの間の通信パスを開き、前記分配装置に接続されている場合には前記分配装置との間の通信パスを開く、
ドアホンシステム。
【請求項３】
集合住宅の来訪者が訪問先の居住者を呼び出すためのロビーインターホンと、前記来訪者からの呼び出しを受けて居住者が応答するためのルームモニタと、前記ロビーインターホンと前記ルームモニタとの間を中継する分配装置と、を有し、前記ロビーインターホンが複数の前記ルームモニタと２線ケーブルを介してスター型配線で接続するとともに前記分配装置の１つと２線ケーブルを介して接続し、前記分配装置同士が２線ケーブルを介してデイジーチェーン型配線で接続し、前記分配装置それぞれが前記ルームモニタと２線ケーブルを介して接続するドアホンシステムの前記ロビーインターホンの通信方法であって、
入力信号に含まれるキー番号のルームモニタが、前記分配装置に接続しているか、自機に接続しているかを判定し、
自機に接続されている場合には該ルームモニタとの間の通信パスを開き、前記分配装置に接続されている場合には前記分配装置との間の通信パスを開く、
通信方法。
【発明の詳細な説明】
【技術分野】
【０００１】
本開示は、ロビーインターホン、ドアホンシステムおよび通信方法に関する。
【背景技術】
【０００２】
宅外の玄関先に設置された子機と宅内の親機とからなるドアホンシステムが広く普及している。一般的に、ドアホンシステムは、低コスト、簡単設置のために、子機と親機とが既存の２線ケーブルにより接続される。特許文献１には、１台の親機が複数台の子機それぞれと２線ケーブルを介して接続する、スター型配線のドアホンシステムが開示されている。
【０００３】
また、近年、マンション等の集合住宅用のドアホンシステムも普及してきている。特許文献２には、来訪者が訪問先を呼び出すために集合住宅の共用玄関に設置されるロビーインターホンと、ロビーインターホンからの呼び出しを受けて居住者が応答するために各住戸に設置されるモニタと、共用部の２線ケーブルを介してロビーインターホンと接続されるとともに各住戸の２線ケーブルを介してモニタに接続される分配装置と、を備える、デイジーチェーン型配線のドアホンシステムが開示されている。
【先行技術文献】
【特許文献】
【０００４】
【特許文献１】特開平９−１５４１２８号公報
【特許文献２】特開２０１５−０５３７４０号公報
【発明の概要】
【発明が解決しようとする課題】
【０００５】
しかしながら、従来の集合住宅用のドアホンシステムは、ロビーインターホンが、スター型配線でモニタと接続するか、デイジーチェーン型配線の分配装置の１つと接続するかのいずれかであったため、既存の配線を充分に利用することができない場合がある。
【０００６】
本開示は、既存の配線の状態に合わせて、最適な機器配置を選択することができるロビーインターホン、ドアホンシステムおよび通信方法を提供することである。
【課題を解決するための手段】
【０００７】
本開示のロビーインターホンは、集合住宅の来訪者が訪問先の居住者を呼び出すためのロビーインターホンと、前記来訪者からの呼び出しを受けて居住者が応答するためのルームモニタと、前記ロビーインターホンと前記ルームモニタとの間を中継する分配装置と、を有し、前記ロビーインターホンが複数の前記ルームモニタと２線ケーブルを介してスター型配線で接続するとともに前記分配装置の１つと２線ケーブルを介して接続し、前記分配装置同士が２線ケーブルを介してデイジーチェーン型配線で接続し、前記分配装置それぞれが前記ルームモニタと２線ケーブルを介して接続するドアホンシステムの前記ロビーインターホンであって、前記分配装置の１つと接続する第１端子と、複数の前記ルームモニタとスター型配線で接続する複数の第２端子と、前記分配装置に接続されているルームモニタに割り付けられたキー番号と前記第１端子の番号とを対応付け、かつ、前記各第２端子に接続されているルームモニタに割り付けられたキー番号と前記各第２端子の番号とを対応付けて記憶する記憶部と、前記第１端子を介して前記分配装置との通信パスを開閉する第１リレー部と、前記第２端子のいずれかを介して前記ルームモニタとの通信パスを開閉する第２リレー部と、入力信号に含まれるキー番号に対応づけられた端子の番号に接続された前記分配装置あるいは前記ルームモニタとの通信パスが開くように前記第１リレー部および前記第２リレー部を制御する制御部と、を具備する。
【０００８】
本開示のドアホンシステムは、集合住宅の来訪者が訪問先の居住者を呼び出すためのロビーインターホンと、前記来訪者からの呼び出しを受けて居住者が応答するためのルームモニタと、前記ロビーインターホンと前記ルームモニタとの間を中継する分配装置と、を有し、前記ロビーインターホンが複数の前記ルームモニタと２線ケーブルを介してスター型配線で接続するとともに前記分配装置の１つと２線ケーブルを介して接続し、前記分配装置同士が、２線ケーブルを介してデイジーチェーン型配線で接続し、前記ロビーインターホンが、前記分配装置に接続しているルームモニタに割り付けられたキー番号、および、自機に接続しているルームモニタに割り付けられたキー番号をそれぞれ記憶し、入力信号に含まれるキー番号のルームモニタが、自機に接続されている場合には該ルームモニタとの間の通信パスを開き、前記分配装置に接続されている場合には前記分配装置との間の通信パスを開く。
【０００９】
本開示の通信方法は、集合住宅の来訪者が訪問先の居住者を呼び出すためのロビーインターホンと、前記来訪者からの呼び出しを受けて居住者が応答するためのルームモニタと、前記ロビーインターホンと前記ルームモニタとの間を中継する分配装置と、を有し、前記ロビーインターホンが複数の前記ルームモニタと２線ケーブルを介してスター型配線で接続するとともに前記分配装置の１つと２線ケーブルを介して接続し、前記分配装置同士が２線ケーブルを介してデイジーチェーン型配線で接続し、前記分配装置それぞれが前記ルームモニタと２線ケーブルを介して接続するドアホンシステムの前記ロビーインターホンの通信方法であって、入力信号に含まれるキー番号のルームモニタが、前記分配装置に接続しているか、自機に接続しているかを判定し、自機に接続されている場合には該ルームモニタとの間の通信パスを開き、前記分配装置に接続されている場合には前記分配装置との間の通信パスを開く。
【発明の効果】
【００１０】
本開示によれば、スター型配線とデイジーチェーン型配線とを組み合わせたハイブリッド型の配線が可能となるので、集合住宅用のドアホンシステムにおいて、既存の配線の状態に合わせて、最適な機器配置を選択することができる。
【図面の簡単な説明】
【００１１】
【図１】本開示の一実施の形態に係るドアホンシステムの構成を示すシステム構成図
【図２】本開示の一実施の形態に係るロビーインターホンの構成を示すブロック図
【図３】本開示の一実施の形態に係るロビーインターホンのボタン配置の一例を示す図
【図４】本開示の一実施の形態に係るロビーインターホンの接続先記憶部に記憶されているテーブルの一例を示す図
【図５】本開示の一実施の形態に係るルームモニタの構成を示すブロック図
【図６】本開示の一実施の形態に係る分配装置の構成を示すブロック図
【図７】本開示の一実施の形態に係る分配装置の接続先記憶部に記憶されているテーブルの一例を示す図
【図８】本開示の一実施の形態に係るロビーインターホンのリレー制御の流れを示すフロー図
【図９】本開示の一実施の形態に係る分配装置のリレー制御の流れを示すフロー図
【発明を実施するための形態】
【００１２】
以下、図面を適宜参照して、本開示の実施の形態について、図面を用いて詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、添付図面および以下の説明は、当業者が本開示を十分に理解するために、提供されるのであって、これらにより特許請求の範囲に記載の主題を限定することは意図されていない。
【００１４】
＜システムの概要＞
まず、本開示の一実施の形態に係るドアホンシステムの概要について、図１を用いて説明する。図１に示すように、ドアホンシステム１は、ロビーインターホン１００と、ルームモニタ２００と、分配装置３００と、から構成される。ロビーインターホン１００は、集合住宅の来訪者が訪問先の居住者を呼び出すために使用される装置であり、集合住宅の建物の１階の共用玄関（ロビー）に設置される。ルームモニタ２００は、来訪者からの呼び出しを受けて居住者が応答するための装置であり、各部屋（あるいは各住戸）に設置される。分配装置３００は、ロビーインターホン１００とルームモニタ２００との間を中継する装置であり、建物の各階に設置される。
【００１５】
ロビーインターホン１００は、２線ケーブルを介して１つの分配装置３００−１と接続される。また、ロビーインターホン１００は、複数のルームモニタ２００のそれぞれと、２線ケーブルを介して、スター型配線で接続される場合がある。
【００１６】
分配装置３００は、２線ケーブルを介して、デイジーチェーン型配線で互いに接続される。具体的には、分配装置３００−１は、前段のロビーインターホン１００と後段の分配装置３００−２と接続される。他の分配装置３００−ｉ（ｉは２以上の整数）は、前段の分配装置３００−ｉ−１と後段の分配装置３００−ｉ＋１に接続される。また、各分配装置３００は、複数のルームモニタ２００のそれぞれと、２線ケーブルを介して、スター型配線で接続される。
【００１７】
ロビーインターホン１００は、通信相手のルームモニタ２００に映像信号および音声信号を送信する。各ルームモニタ２００は、ロビーインターホン１００に音声信号を送信する。また、各ルームモニタ２００は、ロビーインターホン１００のカメラを制御する。ロビーインターホン１００とその通信相手のルームモニタ２００との間に分配装置３００が存在する場合、分配装置３００は、ロビーインターホン１００とルームモニタ２００との間で送受される信号を中継する。
【００１８】
＜ロビーインターホンの構成＞
次に、ロビーインターホン１００の構成について、図２を用いて説明する。なお、図２では、ロビーインターホン１００が、ルームモニタ２００との接続用の４つの端子Ｔ１２１、Ｔ１２２、Ｔ１２３、Ｔ１２４を有し、最大４台のルームモニタ２００と同時に接続できる場合を示す。また、ロビーインターホン１００は、分配装置３００−１との接続用の端子Ｔ１３１を有する。
【００１９】
図２に示すように、ロビーインターホン１００は、主に、キー入力部１０１と、スピーカ１０２と、マイク１０３と、カメラ部１０４と、映像ＦＭ変調部１０５と、ＡＭ信号制御部１０６と、カメラモジュール制御部１０７と、音声ＦＭ変調／復調部１０８と、着信検知部１０９と、リレー制御部１１０と、ＡＭ通信制御部１１１と、通信先記憶部１１２と、発呼制御部１１３と、発呼用信号生成部１１４と、第１リレー１１５と、第２リレー１１６と、を具備する。
【００２０】
キー入力部１０１は、図３に示すように、各ルームモニタ２００に割り付けられたキー番号を含む各種ボタンを有し、ボタン操作に応じたキー番号を示す信号および呼出指示信号をリレー制御部１１０に出力する。
【００２１】
スピーカ１０２は、音声ＦＭ変調／復調部１０８から出力されたアナログ音声データを、音声に変換して出力する。マイク１０３は、周囲の音声を集音してアナログ音声データに変換し、音声ＦＭ変調／復調部１０８に出力する。
【００２２】
カメラ部１０４は、イメージセンサを含み、映像を撮影し、映像データを生成して、映像ＦＭ変調部１０５に出力する。
【００２３】
映像ＦＭ変調部１０５は、カメラ部１０４にて撮像した映像データをＦＭ変調してＦＭ映像信号を得る。ＦＭ映像信号（FM Video）は、ルームモニタ２００あるいは分配装置３００に送信される。
【００２４】
ＡＭ信号制御部１０６は、ルームモニタ２００あるいは分配装置３００との間で送受信される各パラメータ制御データをＡＭ変調し、ＡＭ制御信号を得る。ＡＭ制御信号（AM Command）は、ルームモニタ２００あるいは分配装置３００に送信される。
【００２５】
カメラモジュール制御部１０７は、ＡＭ信号制御部１０６から出力された制御データに基づき、カメラ部１０４における撮像範囲や逆光補正等を制御する。
【００２６】
音声ＦＭ変調／復調部１０８は、マイク１０３から出力されたアナログ音声データをＦＭ変調し、ＦＭ上り音声信号を得る。ＦＭ上り音声信号（FM Audio）は、分配装置３００に送信される。また、音声ＦＭ変調／復調部１０８は、分配装置３００から受信したＦＭ下り音声信号を復調し、アナログ音声データをスピーカ１０２に出力する。なお、音声ＦＭ変調／復調部１０８は、ロビーインターホン１００に接続されたルームモニタ２００に向けて送信するアナログ音声データに対しては、ＦＭ変調せず、そのまま出力する。
【００２７】
着信検知部１０９は、ルームモニタ２００あるいは分配装置３００から出力されたモニタ着信を検知する。そして、着信検知部１０９は、モニタ着信を検知したことを示す着信検知信号をリレー制御部１１０に出力する。
【００２８】
リレー制御部１１０は、キー番号を示す信号および呼出指示信号を入力した場合、通信相手のルームモニタ２００までの経路（分配装置３００を介するか否か）に応じて第１リレー１１５、第２リレー１１６を制御する。また、リレー制御部１１０は、着信検知部１０９から着信検知信号を入力した場合、第２リレー１１６を制御する。なお、リレー制御部１１０の制御の詳細については後述する。
【００２９】
ＡＭ通信制御部１１１は、分配装置３００への着信データを生成する。着信データには、キー入力部１０１より得られたキー番号を示す情報が含まれる。ＡＭ通信制御部１１１は、着信データをＡＭ変調してＡＭ着信信号を得る。ＡＭ着信信号（AM to distributor）は、端子Ｔ１３１から分配装置３００に送信される。
【００３０】
通信先記憶部１１２は、図４に示すように、キー番号と端子番号とを対応付けて記憶する。なお、キー番号は、図３に示したような物理的なキーに１対１に対応する番号に限らず、例えば部屋番号のような複数のキーの組合せに対応する番号であってもよい。また、キー番号と端子番号との対応付けは、直接／間接を問わない。例えば、別途の識別番号を介してキー番号と端子番号との対応付けが行われるように記憶されてもよい。
【００３１】
発呼制御部１１３は、発呼のタイミングで、発呼指示信号を発呼用信号生成部１１４に出力する。
【００３２】
発呼用信号生成部１１４は、発呼指示信号を入力すると、スイッチを接続してＤＣ電圧を２線間ショート（例えば０Ｖ）することにより、通信相手のルームモニタ２００に向けて発呼信号を送信する。
【００３３】
第１リレー１１５は、リレー制御部１１０の制御により、接続／切断を切り替える。なお、初期設定時では、第１リレー１１５は、切断されている（常開型）。
【００３４】
第２リレー１１６は、リレー制御部１１０の制御により、接続先を切り替える。なお、初期設定時では、第２リレー１１６は、切断されている。
【００３５】
なお、ロビーインターホン１００では、ＡＣアダプタにて、商用電源の交流電圧が一定の直流電圧（例えばＤＣ２４Ｖ）に変換され、各部に供給される。
【００３６】
＜ルームモニタの構成＞
次に、ルームモニタ２００の構成について、図５を用いて説明する。なお、ルームモニタ２００は、ロビーインターホン１００あるいは分配装置３００との接続用の端子Ｔ２３１を有する。
【００３７】
図５に示すように、ルームモニタ２００は、主に、アナログ信号処理部２０１と、デジタル映像信号処理部２０２と、デジタル音声信号処理部２０３と、タッチパネル２０４と、ディスプレイ部２０５と、スピーカ２０６と、マイク２０７と、を具備する。
【００３８】
アナログ信号処理部２０１は、アナログ信号処理を行い、着信検知部２１１と、映像復調部２１２と、ＡＭ通信部２１３と、モニタ通知部２１４と、２／４変換部２１５と、を有する。
【００３９】
デジタル映像信号処理部２０２は、映像に関するデジタル信号処理を行い、画像処理ＬＳＩ（large-scale integration）２２１と、揮発性記憶部２２２と、不揮発性記憶部２２３と、を有する。
【００４０】
デジタル音声信号処理部２０３は、音声に関するデジタル信号処理を行い、音声信号処理部２３１と、揮発性記憶部２３２と、不揮発性記憶部２３３と、を有する。
【００４１】
タッチパネル２０４は、ユーザのタッチ操作に基づくユーザ指示を画像処理ＬＳＩ２２１に出力する。ディスプレイ部２０５は、画像処理ＬＳＩ２２１で生成された画像データを画面に表示する。
【００４２】
スピーカ２０６は、音声信号処理部２３１から出力されたアナログ音声データを、音声に変換して出力する。マイク２０７は、周囲の音声を集音してアナログ音声データに変換し、音声信号処理部２３１に出力する。
【００４３】
着信検知部２１１は、ロビーインターホン１００あるいは分配装置３００からの着信を検知する。そして、着信検知部２１１は、着信を検知したことを示す着信検知信号を画像処理ＬＳＩ２２１に出力する。
【００４４】
映像復調部２１２は、ロビーインターホン１００あるいは分配装置３００から送信されたＦＭ映像信号を復調し、映像データを画像処理ＬＳＩ２２１に出力する。
【００４５】
ＡＭ通信部２１３は、ロビーインターホン１００あるいは分配装置３００から送信された映像関連のＡＭ制御信号（AM Command）を復調し、パラメータ制御データを画像処理ＬＳＩ２２１に出力する。また、ＡＭ通信部２０３は、画像処理ＬＳＩ２２１から出力された映像関連のパラメータ制御データをＡＭ変調し、ＡＭ制御信号を得る。ＡＭ制御信号（AM Command）は、ロビーインターホン１００あるいは分配装置３００に送信される。
【００４６】
モニタ通知部２１４は、画像処理ＬＳＩ２２１からモニタ要求を受けた場合、ロビーインターホン１００あるいは分配装置３００にモニタ要求を送信する。
【００４７】
２／４変換部２１５は、音声回路の２線／４線変換を行う。ロビーインターホン１００あるいは分配装置３００から送信されたアナログ音声データは、２／４変換部２１５を介して音声信号処理部２３１に入力される。また、音声信号処理部２３１から出力されたアナログ音声データは、２／４変換部２１５を介してロビーインターホン１００あるいは分配装置３００に送信される。
【００４８】
画像処理ＬＳＩ２２１は、映像データに対して、ディスプレイ部２０５の画面にＬＣＤ表示するための画像処理を行うとともに、各制御コマンドに基づく回路制御を行う。また、画像処理ＬＳＩ２２１は、タッチパネル２０４からユーザのモニタ要求を入力した場合、モニタ通知部２１４に給電を行う。
【００４９】
揮発性記憶部２２２は、各種プログラムを実行する際のワークエリアとして画像処理ＬＳＩ２２１に利用される。不揮発性記憶部２２３は、画像処理ＬＳＩ２２１が実行する各種アプリケーションプログラムや、各種ソフトウェアを予め記憶している。
【００５０】
音声信号処理部２３１は、２／４変換部２１５から出力されたアナログ音声データに対してフィルタリング処理や増幅処理を行い、スピーカ２０６に出力する。また、音声信号処理部２３１は、マイク２０７から出力されたアナログ音声データに対してフィルタリング処理や増幅処理を行い、２／４変換部２１５に出力する。
【００５１】
揮発性記憶部２３２は、各種プログラムを実行する際のワークエリアとして音声信号処理部２３１に利用される。不揮発性記憶部２３３は、音声信号処理部２３１が実行する各種アプリケーションプログラムや、各種ソフトウェアを予め記憶している。
【００５２】
なお、ルームモニタ２００では、ＡＣアダプタにて、商用電源の交流電圧が一定の直流電圧（例えばＤＣ２４Ｖ）に変換され、各部に供給される。
【００５３】
＜分配装置の構成＞
次に、分配装置３００の構成について、図６を用いて説明する。なお、図６では、分配装置３００が、ルームモニタ２００との接続用の４つの端子Ｔ３２１、Ｔ３２２、Ｔ３２３、Ｔ３２４を有し、最大４台のルームモニタ２００と同時に接続でき、その中の１台と通信を行う場合を示す。また、分配装置３００は、ロビーインターホン１００あるいは前段の分配装置３００との接続用の端子Ｔ３３１、および、後段の分配装置３００との接続用の端子Ｔ３３２を有する。
【００５４】
図６に示すように、分配装置３００は、着信用ＡＭ信号識別部３０１と、映像信号リピート部３０２と、音声ＦＭ変調／復調部３０３と、モニタ検知部３０４と、状態制御部３０５と、接続先記憶部３０６と、発呼制御部３０７と、発呼用信号生成部３０８と、第１リレー３０９と、第２リレー３１０と、第３リレー３１１と、ＤＩＰ（Dual In-line Package）スイッチ３１２と、を具備する。なお、第３リレー３１１およびＤＩＰスイッチ３１２は、接続するルームモニタ２００の数（図６では「４」）だけ具備される。
【００５５】
着信用ＡＭ信号識別部３０１は、ロビーインターホン１００あるいは前段の分配装置３００からの着信時に、ＡＭ着信信号（AM to distributor）の内容を判別する。そして、着信用ＡＭ信号識別部３０１は、ロビーインターホン１００で操作されたキー番号を示す信号を状態制御部３０５に出力する。
【００５６】
映像信号リピート部３０２は、ロビーインターホン１００から受信したＦＭ映像信号（FM Video）が２線ケーブル内で減衰している場合にＦＭ映像信号を増幅する。ＦＭ映像信号は、第３リレー３１１を介してルームモニタ２００に送信される。
【００５７】
音声ＦＭ変調／復調部３０３は、ルームモニタ２００から送信されたアナログ音声データをＦＭ変調し、ＦＭ下り音声信号を得る。ＦＭ下り音声信号（FM Audio）は、ロビーインターホン１００に送信される。また、音声ＦＭ変調／復調部３０３は、ロビーインターホン１００から受信したＦＭ上り音声信号を復調してアナログ音声データを得る。アナログ音声データは、第３リレー３１１を介してルームモニタ２００に送信される。
【００５８】
モニタ検知部３０４は、ルームモニタ２００からのモニタ要求を検知する。そして、モニタ検知部３０４は、モニタ要求を検知したことを示すモニタ検知信号を状態制御部３０５に出力する。
【００５９】
状態制御部３０５は、着信用ＡＭ信号識別部３０１から出力されたキー番号と接続先記憶部３０６に記憶されたキー番号との比較結果に基づいて、第１リレー３０９、第２リレー３１０、第３リレー３１１を制御する。また、状態制御部３０５は、モニタ検知部３０４からモニタ検知信号を入力した場合、第１リレー３０９、第２リレー３１０、第３リレー３１１を制御する。なお、状態制御部３０５の制御の詳細については後述する。
【００６０】
なお、状態制御部３０５は、ロビーインターホン１００から発呼信号を受信する度に、ＤＩＰスイッチの設定を読み、発呼されているルームモニタ２００が接続されているか否かを判定する。そして、状態制御部３０５は、発呼されているルームモニタ２００が接続されている場合、通信パスを開くために、ＤＩＰスイッチに連結する第３リレー３１１を接続する。
【００６１】
接続先記憶部３０６は、図７に示すように、各ルームモニタ２００に割り付けられたロビーインターホン１００のキー番号とルームモニタ接続端子の端子番号とを対応付けて記憶する。
【００６２】
発呼制御部３０７は、発呼のタイミングで、発呼指示信号を発呼用信号生成部３０８に出力する。
【００６３】
発呼用信号生成部３０８は、発呼指示信号を入力すると、スイッチを接続してＤＣ電圧を２線間ショート（例えば０Ｖ）することにより、接続されたルームモニタ２００に対して発呼信号を送信する。
【００６４】
第１リレー３０９は、状態制御部３０５の制御により、接続先を切り替える。なお、初期設定時では、第１リレー３０９は、着信用ＡＭ信号識別部３０１に接続されている（図６の＜０＞側）。
【００６５】
第２リレー３１０は、状態制御部３０５の制御により、接続／切断を切り替える。なお、初期設定時では、第２リレー３１０は、切断されている。
【００６６】
第３リレー３１１は、状態制御部３０５の制御により、接続／切断を切り替える。なお、初期設定時では、第３リレー３１１は、切断されている。
【００６７】
各ＤＩＰスイッチ３１２は、連結する第３リレー３１１の接続先のルームモニタ２００に対応したロビーインターホン１００のキー番号に対応して設定される。
【００６８】
なお、分配装置３００では、ＡＣアダプタにて、商用電源の交流電圧が一定の直流電圧（ＤＣ２４Ｖ）に変換され、各部に供給される。ただし、各分配装置３００では、前段の分配装置３００から直流電圧（例えばＤＣ２４Ｖ）を入力しても良い。
【００６９】
なお、アナログ音声データ、ＡＭ制御信号、ＦＭ上り音声信号、ＦＭ下り音声信号およびＦＭ映像信号は、互いに異なる周波数帯域で伝送される。
【００７０】
＜ロビーインターホンのリレー制御＞
次に、ロビーインターホン１００のリレー制御部１１０によるリレー制御の詳細について、図８を用いて説明する。なお、初期設定時では、第１リレー１１５および第２リレー１１６は、切断されている。
【００７１】
リレー制御部１１０は、キー番号を示す信号および呼出指示信号を入力した場合（ＳＴ４０１：ＹＥＳ）、通信先記憶部１１２の記憶テーブル（図４）から、入力信号のキー番号に対応する端子番号を取得し（ＳＴ４０２）、通信相手のルームモニタ２００がロビーインターホン１００（自機）の端子に接続しているか否かを確認する（ＳＴ４０３）。
【００７２】
入力信号のキー番号に対応する端子番号がＴ１３１である場合、リレー制御部１１０は、通信相手のルームモニタ２００が分配装置３００を介して接続されていると判定し（ＳＴ４０３：ＮＯ）、第１リレー１１５を接続させる（ＳＴ４０４）。例えば、図４の例で、キー番号が「６」であった場合、リレー制御部１１０は、第１リレー１１５を接続させる。これにより、ロビーインターホン１００と分配装置３００−１との通信パスを開くことができる。
【００７３】
一方、入力信号のキー番号に対応する端子番号がＴ１２１、Ｔ１２２、Ｔ１２３、Ｔ１２４のいずれかである場合、リレー制御部１１０は、通信相手のルームモニタ２００が分配装置３００を介さずに直接接続されていると判定し（ＳＴ４０３：ＹＥＳ）、通信相手のルームモニタ２００に接続する端子に第２リレー１１６を接続させる（ＳＴ４０６）。例えば、図４の例で、キー番号が「２」であった場合、リレー制御部１１０は、端子Ｔ１２２に第２リレー１１６を接続させる。これにより、接続先のルームモニタ２００とロビーインターホン１００との通信パスを開くことができる。
【００７４】
また、リレー制御部１１０は、着信検知部１０９から着信検知信号を入力した場合（ＳＴ４０１：ＮＯ、ＳＴ４０５：ＹＥＳ）、モニタ着信を検知した配線の端子に第２リレー１１６を接続させる（ＳＴ４０６）。これにより、モニタ通知を送信したルームモニタ２００とロビーインターホン１００との通信パスを開くことができる。
【００７５】
なお、呼出指示信号および着信検知信号のいずれも入力していない場合（ＳＴ４０１：ＮＯ、ＳＴ４０５：ＮＯ）、リレー制御部１１０は、第１リレー１１５および第２リレー１１６を制御せず、初期設定状態を維持する。
【００７６】
＜分配装置のリレー制御＞
次に、分配装置３００の状態制御部３０５によるリレー制御の詳細について、図９を用いて説明する。なお、初期設定時では、第１リレー３０９は、着信用ＡＭ信号識別部３０１に接続され（図６の＜０＞側）、第２リレー３１０および第３リレー３１１は、切断されている。
【００７７】
状態制御部３０５は、ロビーインターホン１００あるいは前段の分配装置３００から着信用ＡＭ信号識別部３０１に着信があり、着信用ＡＭ信号識別部３０１からキー番号を示す信号を入力した場合（ＳＴ５０１：ＹＥＳ）、接続先記憶部３０６に記憶されているルームモニタ２００のキー番号のいずれかと一致するか否かを判定する（ＳＴ５０２）。
【００７８】
キー番号が一致しない場合（ＳＴ５０２：ＮＯ）、状態制御部３０５は、通信相手のルームモニタ２００が後段の他の分配装置３００を介して接続されていると判定し、第１リレー３０９、第２リレー３１０および第３リレー３１１の状態を維持する。
【００７９】
一方、キー番号が一致した場合（ＳＴ５０２：ＹＥＳ）、状態制御部３０５は、通信相手のルームモニタ２００が自機に接続されていると判定し、第１リレー３０９の接続先を第３リレー３１１（図６の＜１＞側）に切り替え（ＳＴ５０４）、第２リレー３１０を接続し（ＳＴ５０５）、一致したキー番号に対応する端子に第３リレー３１１を接続させる（ＳＴ５０６）。例えば、図７の例で、一致したキー番号が「６」であった場合、状態制御部３０５は、端子Ｔ３２２に第３リレー３１１を接続させる。これにより、分配装置３００を介して、通信相手のルームモニタ２００とロビーインターホン１００との通信パスを開くことができる。
【００８０】
また、状態制御部３０５は、モニタ検知部３０４からモニタ検知信号を入力した場合（ＳＴ５０１：ＮＯ、ＳＴ５０３：ＹＥＳ）、第１リレー３０９の接続先を第３リレー３１１（図６の＜１＞側）に切り替え（ＳＴ５０４）、第２リレー３１０を接続し（ＳＴ５０５）、モニタ要求を検知した配線の端子に第３リレー３１１を接続させる（ＳＴ５０６）。
【００８１】
なお、着信信号およびモニタ要求信号のいずれも入力していない場合（ＳＴ５０１：ＮＯ、ＳＴ５０３：ＮＯ）、状態制御部３０５は、第１リレー３０９、第２リレー３１０および第３リレー３１１を制御せず、初期設定状態を維持する。
【００８２】
＜効果＞
以上のように、本実施の形態では、複数のルームモニタ２００とスター型配線で接続する分配装置３００が、ロビーインターホン１００あるいは前段の分配装置３００から、接続先のルームモニタ２００に割り付けられたキー番号を含む信号を受信した場合に、接続先記憶部３０６に記憶されているキー番号のいずれかと一致するか否かを判定し、キー番号が一致した場合に、該ルームモニタ２００との通信パスを開く。これにより、スター型配線とデイジーチェーン型配線とを組み合わせたハイブリッド型の配線が可能となるので、集合住宅用のドアホンシステムにおいて、既存の配線の状態に合わせて、最適な機器配置を選択することができる。
【００８３】
なお、本開示は、部材の種類、配置、個数等は前述の実施の形態に限定されるものではなく、その構成要素を同等の作用効果を奏するものに適宜置換する等、発明の要旨を逸脱しない範囲で適宜変更することができる。
【００８４】
例えば、本開示では、ロビーインターホン１００に接続するルームモニタ２００の数、および、分配装置３００に接続するルームモニタ２００の数に、特に限定は無い。
【００８５】
また、本開示では、ロビーインターホン１００が、必ずしも、ルームモニタ２００と接続していなくても良い。この場合、端子Ｔ１２１、Ｔ１２２、Ｔ１２３、Ｔ１２４、着信検知部１０９、第２リレー１１６は不要となる。
【００８６】
また、本開示では、ロビーインターホン１００が、通信相手のルームモニタ２００のキー番号とそれに接続する分配装置３００の番号を含むＡＭ着信信号を送信し、各分配装置３００が、ＡＭ着信信号に含まれる分配装置３００の番号が自機のものであるか否かを判定し、リレー制御を行っても良い。
【００８７】
具体的には、ロビーインターホン１００において、通信先記憶部１１２が、さらに、各ルームモニタ２００のキー番号と該ルームモニタ２００に接続する分配装置３００の番号とを対応付けて記憶する。そして、ＡＭ通信制御部１１１が、通信相手のルームモニタ２００のキー番号とそれに接続する分配装置３００の番号を含むＡＭ着信信号を送信する。
【００８８】
そして、分配装置３００において、状態制御部３０５が、ロビーインターホン１００あるいは前段の分配装置３００から着信があった場合に、ＡＭ着信信号に含まれる分配装置３００の番号が自機のものと一致するか否かを判定する。分配装置３００の番号が一致しない場合、状態制御部３０５は、第１リレー３０９、第２リレー３１０および第３リレー３１１の状態を維持する。一方、分配装置３００の番号が一致した場合、状態制御部３０５は、第１リレー３０９の接続先を第３リレー３１１（図６の＜１＞側）に切り替え、第２リレー３１０を接続し、キー番号に対応する端子に第３リレー３１１を接続させる。
【産業上の利用可能性】
【００８９】
本開示は、集合住宅用のドアホンシステムに用いるに好適である。
【符号の説明】
【００９０】
１  ドアホンシステム
１００  ロビーインターホン
１０１  キー入力部
１０２、２０６  スピーカ
１０３、２０７  マイク
１０４  カメラ部
１０５  映像ＦＭ変調部
１０６  ＡＭ信号制御部
１０７  カメラモジュール制御部
１０８、３０３  音声ＦＭ変調／復調部
１０９、２１１  着信検知部
１１０  リレー制御部
１１１  ＡＭ通信制御部
１１２  通信先記憶部
１１３、３０７  発呼制御部
１１４、３０８  発呼用信号生成部
１１５、３０９  第１リレー
１１６、３１０  第２リレー
２００  ルームモニタ
２０１  アナログ信号処理部
２０２  デジタル映像信号処理部
２０３  デジタル音声信号処理部
２０４  タッチパネル
２０５  ディスプレイ部
２１２  映像復調部
２１３  ＡＭ通信部
２１４  モニタ通知部
２１５  ２／４変換部
２２１  画像処理ＬＳＩ
２２２、２３２  揮発性記憶部
２２３、２３３  不揮発性記憶部
２３１  音声信号処理部
３００  分配装置
３０１  着信用ＡＭ信号識別部
３０２  映像信号リピート部
３０４  モニタ検知部
３０５  状態制御部
３０６  接続先記憶部
３１１  第３リレー
３１２  ＤＩＰスイッチ
【図１】
2018142809.tif 000003
【図２】
2018142809.tif 000004
【図３】
2018142809.tif 000005
【図４】
2018142809.tif 000006
【図５】
2018142809.tif 000007
【図６】
2018142809.tif 000008
【図７】
2018142809.tif 000009
【図８】
2018142809.tif 000010
【図９】
2018142809.tif 000011